(57)【特許請求の範囲】
【請求項１】
浴槽と、前記浴槽に設けられた気泡発生ノズルと、前記気泡発生ノズルに設けられた微細気泡発生手段と、前記浴槽の水を循環する循環ポンプと、前記循環ポンプと前記浴槽との間に設けられた三方弁と、前記三方弁と前記浴槽とを接続する戻り管と、前記循環ポンプ吐出側に設けられた分岐部と、前記分岐部と前記三方弁を接続するバイパス回路と、前記バイパス回路に設けられたバイパス二方弁と、前記バイパス回路に設けられバイパス二方弁の下流側に設けられたエジェクタと、前記エジェクタに設けられた水吸引部及び空気吸引部と、前記水吸引部と前記戻り管とを接続する吸い込み管と、前記分岐部と前記浴槽を接続する主吐出管及び副吐出管と、前記主吐出管に設けられた二方弁と、前記副吐出管に設けられた逆止弁と、前記二方弁の下流側と前記逆止弁の下流側とを接続する接続回路と、前記接続回路に設けられた圧力逃がし弁とからなる気泡発生装置。
【発明の詳細な説明】
【０００１】
【産業上の利用分野】
本発明は、浴槽内に気泡を発生させる気泡発生装置に関するものである。
【０００２】
【従来の技術】
従来のこの種の気泡発生装置は図５、図６に示すように、浴槽１に設けられた微少断面積の流路（図示せず）をもった微細気泡発生手段２および大気泡噴出手段３からなる気泡噴出装置４と、浴槽１内の水を循環させる循環ポンプ５と、循環ポンプ５の吐出側と吸込側を接続するバイパス路６と、バイパス路６に設けたエジェクタ７と、循環ポンプ５とエジェクタ７の間に設けられたバイパス開閉手段８と、循環ポンプ５とバイパス開閉手段８の間から大気泡噴出手段３に配管された往き管９と、往き管９に設けられた開閉手段１０と、エジェクタ７とバイパス開閉手段８の間から微細気泡発生手段２に配管された送り管１１と、送り管１１に設けられた逆止手段１２と、往き管９に設けられ開閉手段１０の下流側で往き管９から送り管１１への方向へのみ流れるバイパス管１３と、循環ポンプ５と浴槽１を接続する戻り管１４と、戻り管１４に設けられ循環ポンプ５への吸引方向を前記エジェクタ７の吸入部側および戻り管１４側に切り替える切り替え手段１５と、切り替え手段１５からエジェクタ７に配管された吸い込み管１６とエジェクタ７と大気とを接続した空気導入手段１７とで構成されていた。
【０００３】
次に動作を図５、図６で説明する。微細気泡発生時には循環ポンプ５を運転すると水は戻り管１４から吸い込み管１６、エジェクタ７、バイパス路６、切り替え手段１５を介して循環ポンプ５に吸引される。このときバイパス路６及び送り管１１内の圧力は高圧になる。このとき開閉手段１０は閉であり、切り替え手段１５はエジェクタ７側と循環ポンプ５が連通するように切り替えられている。さらに空気導入手段１７から吸引された空気はエジェクタ７から吸引され、バイパス路６内で高圧になった水と混合され加圧溶解される。その後加圧溶解された水はバイパス路６を循環しながら、一部は送り管１１へと送られる。送り管１１へ送られた水は微細気泡発生手段２で減圧されて微細気泡が発生し浴槽１内に吐出される。
【０００４】
大気泡発生時には循環ポンプ５を運転すると水は戻り管１４から切り替え手段１５を介して循環ポンプ５に吸引される。このとき開閉手段１０は開であり、切り替え手段１５は戻り管１４側と循環ポンプ５が連通するように切り替えられている。さらに水は循環ポンプ５から往き管９に送られ、開閉手段１０を通過して大気泡噴出手段３に送られる。これと共に往き管９からバイパス管１３を通過して送り管１１を通過して大気泡噴出手段３に送られる。ここで大気泡が浴槽内に発生する（特願平５−３７９２号公報）。
【０００５】
【発明が解決しようとする課題】
しかしながら上記のような構成では、微細気泡発生時に高圧になるが微細気泡発生手段の微少な流路が閉塞して異常な圧力になった時の安全対策がなされていなかった。本発明は微細気泡発生時に異常な圧力になったときに自動的に送り管内の水を浴槽内に逃がし、循環ポンプ内、バイパス路内、送り管内の圧力を下げて圧力による破損を防止する気泡発生装置を提供することを目的とするものである。
【０００６】
【課題を解決するための手段】
本発明は上記目的を達成するため、浴槽と、浴槽に設けられた気泡発生ノズルと、気泡発生ノズルに設けられた微細気泡発生手段と、浴槽の水を循環する循環ポンプと、循環ポンプと浴槽との間に設けられた三方弁と、三方弁と浴槽とを接続する戻り管と、循環ポンプ吐出側に設けられた分岐部と、分岐部と三方弁を接続するバイパス回路と、バイパス回路に設けられたバイパス二方弁と、バイパス回路に設けられバイパス二方弁の下流側に設けられたエジェクタと、エジェクタに設けられた水吸引部及び空気吸引部と、水吸引部と戻り管とを接続する吸い込み管と、分岐部と浴槽を接続する主吐出管及び副吐出管と、主吐出管に設けられた二方弁と、副吐出管に設けられた逆止弁と、二方弁の下流側と逆止弁の下流側とを接続する接続回路と、接続回路に設けられた圧力逃がし弁とで構成したものである。
【０００７】
【作用】
本発明は上記した構成により、微細気泡発生時にはバイパス二方弁を開成しエジェクタに流すことにより、エジェクタの昇圧作用によりバイパス回路内圧力を昇圧するとともに、エジェクタの空気吸引部から空気を吸引させてバイパス回路内を空気が溶解した高圧水の状態にする。この高圧水を微細気泡発生手段で減圧しながら噴出することにより、微細気泡を発生することができる。また大気泡発生時には、バイパス開閉手段を閉成することにより、循環ポンプから吐出した水を大気泡噴出手段から噴出させる。
【０００８】
また本発明は微細気泡発生時で微細気泡発生手段が閉塞して副吐出管が高圧になった時に循環ポンプからの空気が溶解した高圧水をバイパス管の圧力逃がし弁を介して主吐出管に水を流すことにより副吐出管内の水を浴槽内に吐出し、循環ポンプ内、バイパス回路内の圧力を下げることにより、装置の圧力による破損を防止するものである。
【０００９】
【実施例】
以下、本発明における一実施例を添付図面に基づいて説明する。図１〜図３において、１８は浴槽であり浴槽１８には微細気泡発生手段１９を備えた気泡発生ノズル２０が設けられている。また２１は循環ポンプであり、循環ポンプ２１の吸い込み側と浴槽１８との間は三方弁２２を介して戻り管２３で接続されている。さらに循環ポンプ２１の吐出側には分岐部２４が設けられ、分岐部２４と三方弁２２はバイパス二方弁２５、エジェクタ２６を介してバイパス回路２７が設けられている。また分岐部２４から気泡発生ノズル２０へは二方弁２８を介して主吐出管２９で接続されている。さらに分岐部２４から微細気泡発生手段１９へは逆止弁３０、気液分離タンク３１を介して副吐出管３２が設けられている。主吐出管２９の二方弁２８の下流側と副吐出管３２の気液分離タンク３１の下流側とは圧力逃がし弁３３を設けた接続回路３４に接続されている。さらにエジェクタ２６には水吸引部３５、空気吸引部３６が設けられている。また水吸引部３５と戻り管２３は吸い込み管３７で接続されている。またエジェクタ２６の空気吸引部３６と大気とは逆止弁３８、圧力制御手段である定流量ガバナ３９、電磁弁４０を介して空気管４１が設けられている。さらに大気泡噴出手段である気泡発生ノズル１９と大気とは電磁弁４２を介して空気管４３が設けられている。４４は水の流れを示す矢印、４５は空気の流れを示す矢印、４６は微細気泡、４７は大（ジェット）気泡を示す。
【００１０】
図４は圧力逃がし弁３３であり、弁座４８と、弁座４８の下流側に設けられた弁体４９と、弁体４９を弁座４８に対して付勢するスプリング５０で構成されている。
【００１１】
次に本発明における動作を図１〜図４により説明する。微細気泡発生時の動作を図１により説明する。循環ポンプ２１を運転すると、循環ポンプ２１から出た水は分岐部２４に流れる。さらにバイパス回路２７に流れると共に、副吐出管３２に流れる。このときエジェクタ２６の吸引作用により、戻り管２３の水は吸い込み管３７を介して水吸引部３５からバイパス回路２７に吸引される。このように水が吸引されると循環ポンプ２１の吸込側の圧力が高くなると共に、循環ポンプ２１の吐出側の圧力も高くなり、循環ポンプ２１からは高圧の水がバイパス回路２７および副吐出管３２へと送られる。この時、電磁弁４０が開成され、空気は定流量ガバナ３９、逆止弁３８を介して空気吸引部３６から吸引される。さらにエジェクタ２６の空気吸引部３６で吸引された空気はバイパス回路２７および循環ポンプ２１で加圧された水と混合して加圧溶解される。さらに空気を加圧溶解した水は副吐出管３２の逆止弁３０、気液分離タンク３１を通過して微細気泡発生手段１９へと送られる。このとき加圧溶解された水は副吐出管３２内を流れるが、副吐出管３２の配管抵抗および逆止弁３０の配管抵抗により加圧溶解された水の圧力が降下し、これにともない溶解された空気が析出する。しかしながら圧力降下によって析出した空気は気液分離タンク３１で分離され加圧溶解された水だけが下流側の微細気泡発生手段１９に送られる。微細気泡発生手段１９へ送られた水は、微小断面流路（図示せず）から噴出されることにより急激に減圧される。その結果、高圧時に溶解していた空気は減圧され微細気泡となり浴槽１８に噴出される。また気液分離タンク３１の上流部には逆止弁３０が設けられているので、ポンプ２１が停止して副吐出管３２およびポンプ２１の圧力が下がっても空気を加圧溶解した水は副吐出管３２を逆流せずに浴槽１８側へ送られ、副吐出管３２内に出現する空気も水とともに浴槽１８側へ排出され、循環ポンプ２１内には水が逆流せず、空気が溜まりにくい。微細気泡発生動作においては定流量ガバナ３９の働きによりエジェクタ２６の空気吸引部３６の圧力は、循環ポンプ２１の設置高さが浴槽１８に対して変化しても常に一定となるように構成されている。しかも万一空気吸引部３６の圧力が大気圧より高圧になっても、逆止弁３８によって逆流しないようにしている。このため空気が即座に吸引され加圧溶解を可能にしている。したがって逆止弁３８、定流量ガバナ３９、電磁弁４０からなる空気導入手段から空気吸引部３６に吸引される空気量は一定量で安定して供給されることになる。
【００１２】
次に微細気泡噴出時の異常時の動作を図２により説明する。循環ポンプ２１を運転すると上記のように循環ポンプ２１の吸込側の圧力が高くなると共に、循環ポンプ２１の吐出側の圧力も高くなり、循環ポンプ２１からは高圧の水がバイパス回路２７と微細気泡発生手段１９へ送られる。しかし微小断面流路（図示せず）が微少な流路となっているために目詰まりを起こして閉塞したときには、循環ポンプ２１内、バイパス回路２７内、副吐出管３２内の圧力がさらに高圧になる。このようになると接続回路３４に設けた圧力逃がし弁３３が流体圧を受けて開き副吐出管３２から主吐出管２９に水が移動するようになる。その結果、循環ポンプ２１内、バイパス回路２７内、副吐出管３２内の圧力が降下し、循環ポンプ２１、バイパス回路２７、副吐出管３２等が破損することなく安全に危険状態を回避できる。その他は上記動作と同じであるので省略する。
【００１３】
次に大気泡噴出時の動作を図３により説明する。図３において循環ポンプ２１を運転すると、循環ポンプ２１から出た水は分岐部２４から二方弁２８を介して主吐出管２９を流れて気泡発生ノズル２０に送られる。送られた水は気泡発生ノズル２０から浴槽１８に噴出される。このときの水流による負圧により空気が電磁弁４２、空気管４３を介して吸引され、大（ジェット）気泡となって浴槽１８に噴出される。また大気泡運転を微細気泡運転時に続けて行うことにより、気液分離タンク３１に溜まった空気を副吐出管３２を通過させて、浴槽１８内に噴出することができ、配管回路中の空気を強制的に取り除くことが可能である。
【００１４】
【発明の効果】
以上説明したように本発明の気泡発生装置によれば次の効果が得られる。上記した構成により、微細気泡発生時に微細気泡発生手段に設けられた微少な流路が閉塞されると、副吐出管内の圧力は上昇するが副吐出管と主吐出管とを結ぶ接続回路に設けられた圧力逃がし弁が自動的に開成し、副吐出管内の圧力を降下させることが可能である。
【図面の簡単な説明】
【図１】本発明の実施例における気泡発生装置の微細気泡発生時の状態を示すシステム構成図
【図２】同装置の微細気泡発生時の異常時の状態を示すシステム構成図
【図３】同装置の大気泡発生時の状態を示すシステム構成図
【図４】同装置の圧力逃がし弁の構成図
【図５】従来の気泡発生装置の微細気泡発生時の状態を示すシステム構成図
【図６】同装置の大気泡発生時の状態を示すシステム構成図
【符号の説明】
１８  浴槽
１９  微細気泡発生手段
２０  気泡発生ノズル
２１  循環ポンプ
２２  三方弁
２３  戻り管
２４  分岐部
２５  バイパス二方弁
２６  エジェクタ
２７  バイパス回路
２８  二方弁
２９  主吐出管
３０  逆止弁
３２  副吐出管
３３  圧力逃がし弁
３４  接続回路
３５  水吸引部
３６  空気吸引部
３７  吸引管
３８  逆止弁
３９  定流量ガバナ
【図１】
0003567486.tif 000002
【図２】
0003567486.tif 000003
【図３】
0003567486.tif 000004
【図４】
0003567486.tif 000005
【図５】
0003567486.tif 000006
【図６】
0003567486.tif 000007